(57)【特許請求の範囲】
【請求項１】
表面に載置されている転動体と、
前記表面に連結される力検出用デバイスであって、前記転動体を静止した状態に保持するように、前記転動体に押し付ける力検出用プローブによって、前記表面に垂直な方向に加えられた力を示す第１の測定値を得るように構成されている、力検出用デバイスと、
前記検出用デバイスからの前記第１の測定値を収集し、前記力検出用プローブからの前記力を示す第２の測定値を収集し、かつ、前記第１の測定値及び第２の測定値に基づき、前記力検出用プローブを較正するように構成されている、較正プロセッサーと、を備える装置。
【請求項２】
前記表面が平面的である、請求項１に記載の装置。
【請求項３】
前記転動体がシリコーンゴム・ボールを含む、請求項１に記載の装置。
【請求項４】
前記力検出用デバイスが荷重計を備える、請求項１に記載の装置。
【請求項５】
前記プロセッサーが、前記力検出用デバイスから前記力を示す第１の信号を収集することによって、前記第１の測定値を得るように構成されている、請求項１に記載の装置。
【請求項６】
前記力検出用プローブが、可撓性挿入チューブと、遠位先端部と、前記可撓性挿入チューブの遠位端を前記遠位先端部に接続する接合部と、を備える、請求項１に記載の装置。
【請求項７】
前記転動体に前記力検出用プローブを押し付けることによって、前記遠位先端部に歪みが生じる、請求項６に記載の装置。
【請求項８】
前記プロセッサーが、前記力検出用プローブから前記歪みを示す１つ又は２つ以上の信号を読み取ることによって、前記第２の測定値を得るように構成されている、請求項７に記載の装置。
【請求項９】
前記歪みが、前記遠位端の対称軸に平行な前記遠位先端部の軸方向変位を含む、請求項７に記載の装置。
【請求項１０】
前記歪みが、前記遠位端の対称軸からの前記遠位先端部の角度たわみを含む、請求項７に記載の装置。
【請求項１１】
前記力検出用プローブを較正することが、前記力を前記第１の測定値及び第２の測定値の関数として評価するための１つ又は２つ以上の較正係数を算出することを含む、請求項１に記載の装置。
【請求項１２】
前記プロセッサーが、前記力検出用プローブに連結されたメモリに前記較正係数を記憶するように構成されている、請求項１１に記載の装置。
【請求項１３】
前記メモリが、電子的消去可能プログラム可能読取り専用メモリ（Ｅ２ＰＲＯＭ）を含む、請求項１２に記載の装置。
【請求項１４】
力検出用デバイスに連結された表面に転動体を配置することと、
前記表面で前記転動体が静止した状態に保持されるように、力検出用プローブを前記転動体に押し付け、同時に、前記力検出用デバイスへの力を、前記転動体を通して前記表面に垂直な方向に加えることと、
前記力検出用プローブを押し付けながら、前記力検出用デバイス及び前記力検出用プローブを用いて、それぞれ、前記力の第１の測定値及び第２の測定値を得ることと、
前記第１の測定値及び第２の測定値に基づき、前記力検出用プローブを較正することと、を含む、方法。
【請求項１５】
前記表面が平面的である、請求項１４に記載の方法。
【請求項１６】
前記転動体がシリコーンゴム・ボールを含む、請求項１４に記載の方法。
【請求項１７】
前記力検出用デバイスが荷重計を備える、請求項１４に記載の方法。
【請求項１８】
前記第１の測定値を得ることが、前記加えられた力を示す第１の信号を、前記力検出用デバイスから収集することを含む、請求項１４に記載の方法。
【請求項１９】
前記力検出用プローブが、可撓性挿入チューブと、遠位先端部と、前記可撓性挿入チューブの遠位端を前記遠位先端部に接続する接合部と、を備える、請求項１４に記載の方法。
【請求項２０】
前記転動体に前記力検出用プローブを押し付けることによって、前記遠位先端部に歪みが生じる、請求項１９に記載の方法。
【請求項２１】
前記第２の測定値を得ることが、前記力検出用プローブから前記歪みを示す１つ又は２つ以上の信号を読み取ることを含む、請求項２０に記載の方法。
【請求項２２】
前記歪みが、前記遠位端の対称軸に平行な前記遠位先端部の軸方向変位を含む、請求項２０に記載の方法。
【請求項２３】
前記歪みが、前記遠位端の対称軸からの前記遠位先端部の角度たわみを含む、請求項２０に記載の方法。
【請求項２４】
前記力検出用プローブを較正することが、前記力を前記第１の測定値及び第２の測定値の関数として評価するための１つ又は２つ以上の較正係数を算出することを含む、請求項１４に記載の方法。
【請求項２５】
前記力検出用プローブに結合されたメモリに前記較正係数を記憶することを含む、請求項２４に記載の方法。
【請求項２６】
前記メモリが、電子的消去可能プログラム可能読取り専用メモリ（Ｅ２ＰＲＯＭ）を含む、請求項２５に記載の方法。
【発明の詳細な説明】
【技術分野】
【０００１】
本発明は、概して侵襲的プローブに関し、具体的には、侵襲的プローブ中の較正用力センサーに関する。
【背景技術】
【０００２】
広範囲の医療処置には、患者の体内にセンサー、チューブ、カテーテル、調剤デバイス及びインプラントのような物体を配置することが含まれる。位置検出システムは、このような物体を追跡するために開発されている。磁気的位置検出は、当該技術分野において既知の方法の１つである。磁気的位置検知においては、典型的に、磁場発生器が患者の体外の既知の位置に配置される。プローブの遠位端内にある磁場センサーがこの磁場に反応して電気信号を発生させ、この信号が処理されることにより、プローブ遠位端の位置座標が決定される。これらの方法及びシステムは、米国特許第５，３９１，１９９号、同第６，６９０，９６３号、同第６，４８４，１１８号、同第６，２３９，７２４号、同第６，６１８，６１２号、及び同第６，３３２，０８９号、ＰＣＴ国際特許公開第ＷＯ  １９９６／００５７６８号、並びに米国特許出願公開第２００２／００６５４５５（Ａ１）号、同第２００３／０１２０１５０（Ａ１）号及び同第２００４／００６８１７８（Ａ１）号に記述されており、それらの開示内容はすべてここに援用するものである。
【０００３】
プローブを体内に配置するとき、プローブの遠位先端部を体組織に直接接触させることが望ましい場合がある。この接触は、例えば、遠位先端部と体組織との間の接触圧力を測定することによって、確かめることができる。米国特許出願公開第２００７／０１００３３２号及び同第２００９／００９３８０６号（それらの開示内容は、ここに援用するものである）は、カテーテルに埋め込まれた力センサーを使用してカテーテルの遠位先端部と体腔内組織との間の接触圧力を測定する方法を記述している。
【発明の概要】
【課題を解決するための手段】
【０００４】
本発明の実施形態は、
表面に載置されている転動体と、
その表面に連結される力検出用デバイスであって、転動体を静止した状態に保持するように、転動体に押し付ける力検出用プローブによって、表面に垂直な方向に加えられた力を示す第１の測定値を得るように構成されている、力検出用デバイスと、
検出用デバイスからの第１の測定値を収集し、力検出用プローブからの力を示す第２の測定値を収集し、かつ、第１の測定値及び第２の測定値に基づき、力検出用プローブを較正するように構成されている、較正プロセッサーと、を備える装置を提供する。
【０００５】
典型的には、その表面は平面的である。
【０００６】
開示される実施形態において、転動体はシリコーンゴム・ボールであってもよい。
【０００７】
典型的には、力検出用デバイスは荷重計を備える。
【０００８】
プロセッサーは、力検出用デバイスから力を示す第１の信号を収集することによって、第１の測定値を得るように構成されてもよい。
【０００９】
代替的実施形態において、プローブは、可撓性挿入チューブと、遠位先端部と、可撓性挿入チューブの遠位端を遠位先端部に接続する接合部と、を備える。典型的には、転動体に力検出用プローブを押し付けることによって、遠位先端部に歪みが生じる。プロセッサーは、プローブから歪みを示す１つ又は２つ以上の信号を読み取ることによって、第２の測定値を得るように構成されていてもよい。
【００１０】
歪みは、遠位端の対称軸に平行な遠位先端部の軸方向変位から構成されてもよい。代替的に又は追加的に、歪みは、遠位端の対称軸からの遠位先端部の角度たわみから構成されてもよい。
【００１１】
典型的には、プローブを較正することは、力を第１の測定値及び第２の測定値の関数として評価するための１つ又は２つ以上の較正係数を算出することを含む。プロセッサーは、プローブに連結されたメモリに較正係数を記憶するように構成されてもよい。そのメモリは、電子的消去可能プログラム可能読取り専用メモリ（Ｅ２ＰＲＯＭ）を含むことができる。
【００１２】
本発明の実施形態によると、
力検出用デバイスに連結された表面に転動体を配置することと、
その表面で転動体が静止した状態に保持されるように、力検出用プローブを転動体に押し付け、同時に、力検出用デバイスへの力を、転動体を通して上記表面に垂直な方向に加えることと、
力検出用プローブを押し付けながら、力検出用デバイス及びプローブを用いて、それぞれ、力の第１の測定値及び第２の測定値を得ることと、
第１の測定値及び第２の測定値に基づき、力検出用プローブを較正することと、を含む、方法が更に提供される。
【図面の簡単な説明】
【００１３】
本開示は、添付の図面を参照しながら、ほんの一例として、本明細書に説明される。
【図１】本発明の１つの実施形態による、力検出用カテーテルのための較正システムの概略説明図。
【図２】本発明の１つの実施形態による、力検出用カテーテルを較正する方法を概略的に説明するフローチャート。
【図３】本発明の１つの実施形態による、心臓内組織と接触する力検出用カテーテルの遠位先端部を示す図式的詳細図。
【発明を実施するための形態】
【００１４】
カテーテルなどの一部の侵襲的プローブは、カテーテルと体内組織との間の力を測定するための力センサーを備えている。例えば、力センサーは、プローブの遠位先端部に存在し、その先端部は、心臓内組織上の遠位先端部によって加えられた力に応答して歪む。遠位先端部の歪みで、接触力が表示される。しかし、多くの実際的事例において、実際の接触力と歪みの測定値との間の関係は、カテーテルによって異なる。
【００１５】
精確な力測定値を確保するために、本発明の実施形態は、力センサーに取り付けられたプローブ（例えば、カテーテル）を較正する方法及びシステムを提供する。幾つかの実施形態において、較正装置は、シリコーンゴム・ボールのような、可撓性弾性の転動体であって、検出装置に連結された平面的水平面上に載置されている転動体を備えている。
【００１６】
較正手順の間、力検出用カテーテルの遠位先端部は、任意の角度でボールに押し付けられ、そのことによって、ボールは回転することができる。遠位先端部によってボールに加えられた力は、（ボールを回転させる）回転力と下向きの（即ち、垂直の）力との両方を引き起こすので、ボールは回転する。もしボールが回転しなければ（又は、ボールが、カテーテルとボールとの間の噛み合い角度を変えた後、回転するのを停止する場合）、遠位先端部によってボールに加えられた力は全て、検出用デバイスによって測定され得る下向きの力として導かれる。
【００１７】
遠位先端部をボールに押し付けることもまた、遠位先端部とボールとの間の力に応答して、遠位先端部を歪めることがある。遠位先端部が歪む場合、カテーテル中の力センサーは、遠位先端部の歪み測定値を示す。幾つかの実施形態において、遠位先端部によってボールに加えられる力が、下向きの力として方向を変える場合（即ち、ボールが動かない場合）、較正プロセッサーは、力センサーからの歪み測定値と、検出用デバイスからの力測定値とを受信する。この場合、較正プロセッサーは、カテーテルによって、歪みの関数として加えられた力を評価するための較正係数を算出することができる。本発明の実施形態は、組織との複数の接触角度にわたって、力センサーの精確な較正を行うための、単純で安価な方法を提供する。
【００１８】
幾つかの実施形態において、較正係数は、カテーテルに連結される不揮発性メモリに記憶される。カテーテルが、後で医療システム中で用いられる場合、カテーテルの遠位先端部によって体組織上に加えられた実際の力は、較正手順の間に算出された較正係数を用いて、歪み測定値から高精度で得られ得る。
【００１９】
システムの説明
図１は、本発明の１つの実施形態による、力検出用カテーテルのための較正システム２０の説明図である。システム２０は、較正ユニット２４に連結された較正装置２２を備えている。以下に記述される実施形態において、システム２０は、プローブ２６を較正するために用いられる。本実施例において、プローブ２６は、心臓又は他の体器官の治療目的及び／又は診断目的のために用いられるカテーテルを備えている。
【００２０】
プローブ２６は、医療処置の間、患者の体腔の中に挿入するための遠位端２８を有する。遠位端２８は、接合部３２を経由して遠位先端部３０に連結された可撓性挿入チューブ２９を有する。挿入チューブ２９の遠位端は、可撓性絶縁材料３４によって覆われている。接合部３２の領域もまた、可撓性絶縁材料によって覆われている。この可撓性絶縁材料は、材料３４と同一であってもよく、又は接合部のスムーズな曲げ及び圧搾を可能にするように特別に適合されていてもよい。材料３４は、カテーテルの内部構造を見せるために、図１に切り取られて示される。遠位先端部３０は、可撓性挿入チューブ２９と比較して、典型的には、相対的に硬質である。
【００２１】
遠位先端部３０は、弾性部材３６によって、可撓性挿入チューブ２９に連結されている。図１において、弾性部材は、コイルバネの形態を有しているが、この目的のためには代替的に他のタイプの弾性構成要素を使用することができる。弾性部材３６は、遠位先端部へ加えられる力に応答して、先端部３０と可撓性挿入チューブ２９の遠位端との間の限定範囲の相対的移動を可能にする。
【００２２】
遠位先端部３０は、磁気位置センサー３８を収容している。センサー３８は、１つ又は２つ以上の微小コイルを有することができ、典型的には、様々な軸に沿って配向した複数のコイルを有する。（センサー３８は、典型的には、外部発生器によって生じた磁場を測定することによって、医療処置の間、先端部３０の位置を追跡するために用いられる。）可撓性挿入チューブ２９の遠位端は、弾性部材３６の近辺に微小な磁場発生器４０を備えている。典型的には、磁場発生器４０はコイルを備えており、そのコイルは、較正ユニット２４からカテーテルを通して送られる電流によって駆動される。典型的には、磁場発生器は、その磁場が、医療処置の間作動する外部発生器の磁場から、時間及び／又は周波数が区別できるように駆動される。別法として、位置センサー３８は、別のタイプの磁気センサー、つまり位置変換器として働く電極か、又はインピーダンスベースの若しくは超音波の位置センサーなどの他のタイプの位置変換器を備えていてもよい。図１は、単一の位置センサーを有するプローブを示すが、本発明の実施形態では、複数の位置センサーを有するプローブを使用してもよい。
【００２３】
磁場発生器４０によって生成された磁場により、センサー３８内のコイルは、磁場発生器の駆動周波数にて電気信号を発生させる。これらの信号の振幅は、可撓性挿入チューブ２９の遠位端に対する遠位先端部３０の位置及び方向によって変化する。較正ユニット２４中の較正プロセッサー４２は、軸方向変位、即ち、カテーテルの軸４３に沿った又は軸４３に平行な側面への動きと、カテーテル軸から遠位先端部の角度たわみの大きさとを決定するために、これらの信号を処理する。軸４３は、可撓性挿入チューブ２９の遠位端の対称軸である。遠位先端部３０の変位及びたわみは、本明細書では、まとめて遠位先端部の歪みと称される。（コイルによって発生する磁場が軸対称であるので、磁場発生器４０中の単一コイルを用いて、たわみの大きさのみを検出することができ、たわみの方向は検出することができない。任意的に、磁場発生器４０は、２個以上のコイルを備えることができ、その場合、たわみの方向をも決定することができる。）変位とたわみとの大きさは、ベクトル加法によって組み合わされて、可撓性挿入チューブ２９の遠位端に対する遠位先端部３０の移動の全大きさを提供することができる。
【００２４】
可撓性挿入チューブ２９の遠位端に対する遠位先端部３０の移動によって、弾性部材３６の歪みが測定される。このように、磁場発生器４０とセンサー３８との組み合わせは、力検出用システムとして機能する。変位とたわみとが組み合わされて検出されることによって、本明細書に記述される較正の後、力検出用システムは、力が遠位先端部３０に真正面から又は１つの角度で加えられるか否かに関係なく、力の正確な測定を提供する。この種のプローブ及び位置センサーの更なる詳細は、前述の米国特許出願公開第２００９／００９３８０６号及び同第２００９／０１３８００７号に記述されている。
【００２５】
プローブ４２は、電子的消去可能プログラム可能読取り専用メモリ（Ｅ２ＰＲＯＭ）のような不揮発性メモリ４４であって、較正の間算出された較正係数を記憶するように構成されるものを更に備える。上記に解説されるように、カテーテルが、医療システム中、後で使用される場合、カテーテルの遠位先端部によって体組織へ加えられる実際の力は、メモリ４４中に記憶された較正係数を用いて、変位とたわみとの測定値から高精度で得ることができる。
【００２６】
較正装置２０は、シリコーンゴム・ボール４６と表面４８とを有する。表面４８は、一例として、平面的かつ水平であるものと考えられる。図１の実施形態において、ボール４６は、遠位先端部３０がボールに押し付けられるとき、表面４８で自由に回転することができる。幾つかの実施形態において、ボール４６を押し付ける遠位先端部３０は、遠位先端部がボールを押し付ける場所に、圧痕４７を、及び／又は、ボールが平坦な表面４８を押し付ける場所に、変形４９（即ち、平坦化）を創り出す場合がある。
【００２７】
ボール４６及び表面４８に加えて、較正装置２２は、平坦な表面に連結された荷重計５０を備える。荷重計は、遠位先端部によって表面４８へ加えられた下向きの力５２を測定し、次いで、下向きの力を示す電気信号を発生する。加えて、遠位先端部３０がボール４６に押し付けられるとき、回転力５４が存在することがある。これによって、ボールは表面４８で回転する。図１に示されるシステムは、荷重計５０を用いて下向きの力を測定するが、システム２０は、他の適切な任意のタイプのセンサーを用いても、下向きの力を測定することができる。従って、そのようなセンサーは、本発明の趣旨及び範囲の中にあるものと見なされる。
【００２８】
荷重計５０及びプローブ２６の両方とも、好適なインタフェース（例えば、ケーブル及びコネクタ）を介して、較正ユニット２４に接続されている。較正ユニット２４は、較正プロセッサー４２、メモリ５６、ディスプレイ５８、及び入力デバイス６０（例えば、キーボード）を含む。プロセッサー４２は典型的に、位置センサー３８及び荷重計５０からの信号を受け取るため、並びに較正ユニット２４の他の較正要素を制御するための、好適なフロントエンド及びインタフェース回路を備えた、一般用のコンピュータを含む。プロセッサー４２は、本明細書で説明する機能を実行するようにソフトウェアでプログラムされてもよい。そのソフトウェアは、例えば、ネットワークを介して電子形式でプロセッサー４２にダウンロードしてもよく、あるいは、光学的、磁気的又は電子的記憶メディアなどの非一時的な有形のメディア上で提供されてもよい。別法として、プロセッサー４２の機能の一部又はすべてが、専用の又はプログラム可能なデジタルハードウェア構成要素によって実行されてもよい。
【００２９】
単軸荷重計を用いたカテーテルの較正
図２は、本発明の１つの実施形態による、力検出用カテーテルを較正する方法を概略的に説明するフローチャートである。最初のステップ７０において、オペレータ（図示なし）は、遠位先端部３０をボール４６に押し付ける。遠位先端部３０をボール４６に押し付けることによって、カテーテル２６は、接合部３２で曲げられ、それによって、遠位先端部は歪む。遠位先端部３０の位置センサー３８は、遠位先端部の歪み、即ち、遠位先端部の変位及びたわみを示す信号を出力する。同時に、荷重計５０は、遠位先端部３０によってボール４６へ加えられた下向きの力を示す測定値を出力する。歪みと下向きの力の測定値との両者は、較正ユニット２４へ送信される。較正手順の前、オペレータは、典型的には、ボールの重量を計上するために、（キーボード６０を介して）荷重計５０をゼロにすることに注目されたい。
【００３０】
遠位先端部３０をボール４６に押し付けることは更に、ボールを僅かに変形させることがある（例えば、圧痕４７及び／又は変形４９）。遠位先端部３０がボール４６を押し付けることによって生じる、いずれかの十分大きな回転力５４が、ボールを回転させることができる。第１の比較ステップ７２において、ボール４６が移動している、即ち、回転しているならば、そのとき、再配置するステップ７４において、オペレータは、プローブ２６とボールとの間の噛み合い角度を変え、次いで、方法は、ステップ７０に戻る。ステップ７２に戻って、もしボール４６が静止している、即ち、回転していないならば、そのとき、遠位先端部３０は、ボールに向かって下向きの力５２のみを（即ち、表面４８に垂直な方向に）加えている。それによって、ボールは静止した状態に保持される。ボール４６が静止している場合、荷重計５０によって測定される下向きの力は、遠位先端部とボールとの間の力に等しい。
【００３１】
遠位先端部３０がボール４６を押し付ける間、較正ユニット２４は、第１の収集ステップ７６において、歪み測定値を示すセンサー３８からの第１の信号を収集する。較正ユニット２４はまた、第２の収集ステップ７８において、下向きの力の測定値を示す荷重計５０からの第２の信号を収集する。
【００３２】
較正ステップ８０において、プロセッサー４２は、収集された歪みと下向きの力との測定値を用いて、較正係数を算出する。位置センサー３８からの歪み測定値を、荷重計５０からの力測定値に対してマッピングすることによって、較正係数は、位置センサーによる測定値に基づく遠位先端部３０への力を決定し、それによって、プローブ２６を較正する。換言すれば、任意の較正係数、例えば、歪み及び変位の測定値を示す順序付けられた一対の数字を含むものは、先端部３０の歪み測定値を実際の力読取り値に変える。
【００３３】
第２の比較ステップ８２において、もし追加の較正が望まれる場合、そのとき、方法は、上記のステップ７４に戻る。さもなければ、記憶するステップ８４において、プロセッサー４２は、較正マトリックスをプローブ上のメモリ４４に記憶し、次いで、その方法は終了する。
【００３４】
較正マトリックスを記憶するため、プロセッサー４２は、計算された係数に基づいて、メモリ４４に分析計算を記憶することができる。別の方法としては、プロセッサー４２は、測定間を補間した照合表をメモリ４４に記憶することができる。
【００３５】
図３は、本発明の一実施形態による、心臓９２内の心臓内組織９０に接触している遠位先端部３０を示す、図式の詳細図である。本例において、先端部３０は電極９４を備えている。心臓内の電気マッピングなど、幾つかの電気生理学的診断及び治療手技において、電極９４と組織９０との間の力を適切な水準に維持することが重要である。医療専門家（図示なし）が遠位先端部３０を心臓内組織９０に対して押し付けると、カテーテルが接合部３２で屈曲する。遠位先端と組織との間に良好な電極接触を確保するためには、十分な力が必要である。電気的接触が悪いと、不正確な読取り値が生じることがある。一方、過剰な力をかけると組織が変形し、マップを歪ませることがある。
【００３６】
遠位先端部３０が組織９０を押し付ける場合、センサー３８は、可撓性挿入チューブ２９の遠位端に対する、先端部３０の歪みを示す測定値を生じさせる。医療用画像診断システム（例えば、マッピングシステム−図示なし）は、プローブのメモリ４４に記憶されている較正係数を用いて、これらの測定値を精確な力読取り値に変える。このようにして、本発明の実施形態を用いた侵襲性プローブの較正により、医療専門家はプローブが組織に対してかける力を正確に制御することができる。
【００３７】
以上に記載した実施形態は、一例として引用したものであり、本発明はこれまでの具体的に図示及び記載したものに限定されないことが理解されるであろう。むしろ本発明の範囲は、以上に記述されたさまざまな特徴の結合及び副結合の両方とともに、当業者が前述の記述を読了後に思いつくであろう、先行技術に開示されていない、それらの変更及び修正をも包含する。
【００３８】
〔実施の態様〕
（１）  表面に載置されている転動体と、
前記表面に連結される力検出用デバイスであって、前記転動体を静止した状態に保持するように、前記転動体に押し付ける力検出用プローブによって、前記表面に垂直な方向に加えられた力を示す第１の測定値を得るように構成されている、力検出用デバイスと、
前記検出用デバイスからの前記第１の測定値を収集し、前記力検出用プローブからの前記力を示す第２の測定値を収集し、かつ、前記第１の測定値及び第２の測定値に基づき、前記力検出用プローブを較正するように構成されている、較正プロセッサーと、を備える装置。
（２）  前記表面が平面的である、実施態様１に記載の装置。
（３）  前記転動体がシリコーンゴム・ボールを含む、実施態様１に記載の装置。
（４）  前記力検出用デバイスが荷重計を備える、実施態様１に記載の装置。
（５）  前記プロセッサーが、前記力検出用デバイスから前記力を示す第１の信号を収集することによって、前記第１の測定値を得るように構成されている、実施態様１に記載の装置。
（６）  前記プローブが、可撓性挿入チューブと、遠位先端部と、前記可撓性挿入チューブの遠位端を前記遠位先端部に接続する接合部と、を備える、実施態様１に記載の装置。
（７）  前記転動体に前記力検出用プローブを押し付けることによって、前記遠位先端部に歪みが生じる、実施態様６に記載の装置。
（８）  前記プロセッサーが、前記プローブから前記歪みを示す１つ又は２つ以上の信号を読み取ることによって、前記第２の測定値を得るように構成されている、実施態様７に記載の装置。
（９）  前記歪みが、前記遠位端の対称軸に平行な前記遠位先端部の軸方向変位を含む、実施態様７に記載の装置。
（１０）  前記歪みが、前記遠位端の対称軸からの前記遠位先端部の角度たわみを含む、実施態様７に記載の装置。
【００３９】
（１１）  前記プローブを較正することが、前記力を前記第１の測定値及び第２の測定値の関数として評価するための１つ又は２つ以上の較正係数を算出することを含む、実施態様１に記載の装置。
（１２）  前記プロセッサーが、前記プローブに連結されたメモリに前記較正係数を記憶するように構成されている、実施態様１１に記載の装置。
（１３）  前記メモリが、電子的消去可能プログラム可能読取り専用メモリ（Ｅ２ＰＲＯＭ）を含む、実施態様１２に記載の装置。
（１４）  力検出用デバイスに連結された表面に転動体を配置することと、
前記表面で前記転動体が静止した状態に保持されるように、力検出用プローブを前記転動体に押し付け、同時に、前記力検出用デバイスへの力を、前記転動体を通して前記表面に垂直な方向に加えることと、
前記力検出用プローブを押し付けながら、前記力検出用デバイス及び前記プローブを用いて、それぞれ、前記力の第１の測定値及び第２の測定値を得ることと、
前記第１の測定値及び第２の測定値に基づき、前記力検出用プローブを較正することと、を含む、方法。
（１５）  前記表面が平面的である、実施態様１４に記載の方法。
（１６）  前記転動体がシリコーンゴム・ボールを含む、実施態様１４に記載の方法。
（１７）  前記力検出用デバイスが荷重計を備える、実施態様１４に記載の方法。
（１８）  前記第１の測定値を得ることが、前記加えられた力を示す第１の信号を、前記力検出用デバイスから収集することを含む、実施態様１４に記載の方法。
（１９）  前記プローブが、可撓性挿入チューブと、遠位先端部と、前記可撓性挿入チューブの遠位端を前記遠位先端部に接続する接合部と、を備える、実施態様１４に記載の方法。
（２０）  前記転動体に前記力検出用プローブを押し付けることによって、前記遠位先端部に歪みが生じる、実施態様１９に記載の方法。
【００４０】
（２１）  前記第２の測定値を得ることが、前記プローブから前記歪みを示す１つ又は２つ以上の信号を読み取ることを含む、実施態様２０に記載の方法。
（２２）  前記歪みが、前記遠位端の対称軸に平行な前記遠位先端部の軸方向変位を含む、実施態様２０に記載の方法。
（２３）  前記歪みが、前記遠位端の対称軸からの前記遠位先端部の角度たわみを含む、実施態様２０に記載の方法。
（２４）  前記プローブを較正することが、前記力を前記第１の測定値及び第２の測定値の関数として評価するための１つ又は２つ以上の較正係数を算出することを含む、実施態様１４に記載の方法。
（２５）  前記プローブに結合されたメモリに前記較正係数を記憶することを含む、実施態様２４に記載の方法。
（２６）  前記メモリが、電子的消去可能プログラム可能読取り専用メモリ（Ｅ２ＰＲＯＭ）を含む、実施態様２５に記載の方法。
【図１】
0005851188.tif 000002
【図２】
0005851188.tif 000003
【図３】
0005851188.tif 000004